(57)【特許請求の範囲】
【請求項１】
ガスエネルギー媒体の供給・遮断を行うエネルギー供給遮断手段と、前記ガスエネルギー媒体を使用する機器と、前記エネルギー供給遮断手段を遠隔操作する遮断操作手段と、前記機器を制御するリモコンとを備えたリモコンシステムにおいて、前記遮断操作手段を操作して前記エネルギー供給遮断手段を遮断状態から供給状態に変える制御を実行する時に、先ずガスエネルギー媒体を使用している機器の運転停止制御を実行し、前記エネルギー供給遮断手段の遮断制御を実行するリモコンシステム。
【請求項２】
請求項１記載のリモコンシステムの手段の全てもしくは一部としてコンピュータを機能させるためのプログラム。
【発明の詳細な説明】
【０００１】
【発明の属する技術分野】
本発明はエネルギー媒体の供給・遮断を行うエネルギー供給遮断手段と、エネルギー媒体を使用する機器と、エネルギー供給遮断手段を遠隔操作する遮断操作手段と、機器を制御するリモコンとを備えたリモコンシステムに関するものである。
【０００２】
【従来の技術】
図２は従来のリモコンシステムのシステム構成図である。
【０００３】
図２において４１はガス使用量の検針及びガスメータを管理する管理センター、４２は電話回線である公衆回線、４３は回線制御装置である端末網制御装置、４４は前記端末網制御装置に接続され無線通信を行う無線装置Ａ、４５はガス使用量を計測するガスメータ、４６はガスメータに接続された無線装置Ｂ、４７はガス給湯機、４８はガス給湯機に接続され無線によって制御信号を送受信するガス給湯機無線コントローラ、４９は給湯機を無線によって遠隔で制御するための給湯機リモコン、５０はアンテナ、５１は無線信号の送受信を行う無線通信部、５２は給湯機の運転状態を表示する表示部、５３はガス給湯機の制御信号を送受信及び演算処理する制御部、５４はガスメータのガス遮断弁開閉操作の制御を行うメータ装置操作部である。
【０００４】
管理センター４１、公衆回線４２、端末網制御装置４３、無線装置Ａ４４、無線装置Ｂ４６及びガスメータ４５は、無線を利用したガス使用量の自動検針システムを構成している。またガス給湯機４７、ガス給湯機無線コントローラ４８及び給湯機リモコン４９は、無線によって給湯機制御を行う無線システムを構成している。
【０００５】
メータ装置操作部５４の動作について説明すると、ガス漏れが発生し、ガスメータ４５のガス遮断弁が遮断された後、ユーザーによってガス供給を復帰させる場合において、ユーザーは給湯機リモコン４９のメータ装置操作部５４を操作し、弁開放操作を行うと制御部５３に弁開放信号が入力され、制御部５３によってガス遮断弁の弁開放信号を無線通信部５１に送信しアンテナ５０を介し電波が放射され、無線装置Ｂ４６により前記信号を受信しガスメータ４５に送信する。そして前記弁開放信号を受信したガスメータ４５はガス遮断弁を開放制御する。
【０００６】
【発明が解決しようとする課題】
しかしながら上記従来の構成ではメータ装置操作部５４の操作時においてシステム上のガス給湯機４７の運転状態や管理センター４１から送信されてくる制御信号を考慮していない。また、ガスメータ自身が何らかの異常を検出して遮断状態にあったとしても、ガス給湯機４７の運転の制御を実行する場合も、ガスが遮断状態にあるのでエラー動作で再びガス給湯器が停止してしまう。
【０００７】
また、ガスメータ４５を遮断状態から復帰状態へと変える場合には、いきなり設備機器の運転可能状態にすると不安全側に制御する可能性が高いものも存在する。たとえば、地震などの天災発生により、エネルギー供給遮断手段の遮断制御から供給可能状態としたときに、ガス給湯機４７から生ガスがもれたり、電気系統は、漏電や、短絡による火災も発生するし、安全性を確保できない課題もある。
【０００８】
また遮断弁の遮断状態を復帰する復帰操作を行った場合において、ユーザーが確認する手段がなく、またどれぐらいの時間で復帰するのか分からないという課題がある。
【０００９】
また、遮断弁の遮断または復帰操作を行った場合において、遮断また復帰処理中にガス給湯機４７のキー入力操作を行うと、前記処理に割り込みが入り、確実に遮断または復帰処理が行われない場合が発生し、安全性に課題がある。
【００１０】
またメータの点検やガス工事など管理センター４１から遮断または復帰処理する場合、ユーザーの意志に関係なく遮断・復帰されたりすると、ユーザーがガス給湯機４７などのガス機器を使用している場合には機器動作異常や故障を発生させる恐れがある。
【００１１】
さらにガスメータ４５を手動で弁復帰した場合、ユーザーが復帰状態を容易にかつ確実に前記処理がなされたと確認する手段がないという課題があった。
【００１２】
【課題を解決するための手段】
本発明は上記課題を解決するために、ガスエネルギー媒体の供給・遮断を行うエネルギー供給遮断手段と、前記ガスエネルギー媒体を使用する機器と、前記エネルギー供給遮断手段を遠隔操作する遮断操作手段と、前記機器を制御するリモコンとを備えたリモコンシステムにおいて、前記遮断操作手段を操作して前記エネルギー供給遮断手段を遮断状態から供給状態に変える制御を実行する時に、先ずガスエネルギー媒体を使用している機器の運転停止制御を実行し、前記エネルギー供給遮断手段の遮断制御を実行するものである。
【００１３】
そして、エネルギー供給遮断手段の遮断状態から供給状態に変える制御を実行する前には、機器が使用、不使用にかかわらず、機器を先ず停止しエネルギー供給遮断手段の遮断制御を実行させた後、エネルギーの供給を行なう制御を行なうので、機器動作の安全性の向上を実現させることができる。
【００１４】
【発明の実施の形態】
請求項１記載の発明は、ガスエネルギー媒体の供給・遮断を行うエネルギー供給遮断手段と、前記ガスエネルギー媒体を使用する機器と、前記エネルギー供給遮断手段を遠隔操作する遮断操作手段と、前記機器を制御するリモコンとを備えたリモコンシステムにおいて、前記遮断操作手段を操作して前記エネルギー供給遮断手段を遮断状態から供給状態に変える制御を実行する時に、先ずガスエネルギー媒体を使用している機器の運転停止制御を実行し、前記エネルギー供給遮断手段の遮断制御を実行するリモコンシステムである。
【００１５】
したがって、エネルギー供給遮断手段の遮断状態から供給状態に変える制御を実行する前には、機器が使用、不使用にかかわらず、機器を先ず停止しエネルギー供給遮断手段の遮断制御を実行させるので、エネルギーの供給を行なう制御を行なう機器の安全性の向上を実現し、天災等の復帰後も火災などの２次災害を防ぐことが可能となる。
【００２９】
また、請求項２記載の発明は、請求項１記載のリモコンシステムの手段の全てもしくは一部としてコンピュータを機能させるためのプログラムである。そして、プログラムであるのでマイコンや汎用コンピュータやサーバーを用いて本発明のリモコンシステムの一部あるいは全てを容易に実現することができる。また記録媒体に記録したり通信回線を用いてプログラムを配信したりすることでプログラムの配布やインストール作業が簡単にできる。
【００３０】
【実施例】
以下本発明の実施例について図面を参照しながら説明する。
【００３１】
（実施例１）
本発明のリモコンシステムの実施例を図１を用いて説明する。図１において、１はガスを燃焼媒体（エネルギー媒体）とした設備機器である給湯機、２は給湯機１に接続され無線信号を送受信するための無線送受信手段、３は無線送受信手段２と無線通信し給湯機１の制御を行う為の無線を用いた設備機器リモコンとなる給湯機リモコン、４は給湯機リモコン３に内蔵された無線送受信手段、５はマイクロコンピュータで構成され制御信号を送受信する制御手段、６は給湯機の運転動作を停止するために設けられた給湯機動作停止手段である。
【００３２】
７はガスの流量を計測しユーザーのガス使用量を積算する流量計測装置（ガスメータ）、８は流量計測手段に内蔵されマイクロコンピュータで構成された制御手段、９はガスの流路の遮断及び開放を行うエネルギー供給遮断手段である遮断弁、１０は遮断弁９を制御信号により遮断・開放を行う弁遮断／復帰手段、１１は流量計測装置７に備えられ手動において遮断弁の遮断状態からの復帰処理が行える手動弁復帰手段、１２は流量計測装置７に接続され、給湯機リモコン３と無線通信を行う為に備えた無線通信手段である。
【００３３】
１３はユーザーが給湯機の操作を行う時に給湯機制御信号を送出する為の給湯機操作手段、１４は給湯機リモコン３より流量計測装置７の遮断弁９の遮断状態を遠隔復帰させる為に設けた弁復帰操作手段、１５は給湯機リモコン３より流量計測装置７の遮断弁９を遮断する為に設けた弁遮断操作手段、１６は遮断弁の遮断または復帰操作が行われた場合に、遮断または復帰に要する時間を演算しカウントダウンするための弁遮断・復帰時間カウントダウン手段、１７は給湯機１の動作状態、流量計測装置７の遮断弁９の開閉状態などを表示する状態表示手段である。
【００３４】
１８はユーザー宅に設置されている流量計測装置（ガスメータ）の管理を行うガス供給業者の管理センタ、１９は電話回線や、情報通信回線で構成される回線網、２０は回線網１９に接続されユーザー宅と管理センタを回線網１９を介して接続している回線制御端末である回線網アクセス手段、２１は回線網アクセス手段２０に接続され無線によって、給湯機１、給湯機リモコン３及び流量計測装置７（ガスメータ）と通信を行う無線送受信手段である。
【００３５】
２２は給湯機リモコン３が、復帰処理制御後、安全使用を確認するための遮断・復帰確認手段、２３は遮断弁の遮断処理及び復帰処理が行われているかどうかを判定する遮断・復帰処理判定手段、２４は給湯機の制御キーなどの給湯機リモコン３に設けられた操作手段の入力を無効にするキー入力禁止手段、２５はガスの流路であるガス配管である。
【００３６】
次に動作、作用について説明する。何らかの異常により流量計測装置７（ガスメータ）が遮断状態となり、ユーザーが遮断弁９の復帰操作を行う場合、給湯機リモコン３に設けられた弁復帰操作手段１６を操作すると、まず、給湯機動作停止手段６により無線送受信手段４を介し無線によって、給湯機動作停止信号が送信され給湯機１に接続された無線送受信機２によって受信され、給湯機１は動作を停止状態とする。給湯機１の運転、停止の状態にかかわらず、安全制御として給湯機動作停止信号を送信してもよい。そして、制御手段５によりエネルギー供給遮断手段９の遮断制御を実行させた後、エネルギーの供給を行なう弁復帰信号が伝送され、流量計測装置７（ガスメータ）の弁遮断／復帰手段により遮断弁９が開となり、ガスの使用が可能となる。給湯機１に接続される商用電源（図示せず）の供給を停止する信号を送ってもよい。
【００３７】
このように構成することで、エネルギー供給遮断手段の遮断状態から供給状態に変える制御を実行する前には、設備機器が使用、不使用にかかわらず、設備機器を先ず停止しエネルギー供給遮断手段の遮断制御を実行させるので、エネルギーの供給を行なう制御を行なう設備機器の安全性の向上を実現し、天災等の復帰後も火災などの２次災害を防ぐことが可能となる。
【００３８】
また遮断弁９が遮断されており、ユーザーによって弁復帰を行う場合は、ユーザーは給湯機リモコン３の弁復帰操作手段１４を操作すると弁復帰信号を送出され制御手段５に伝送され、そして弁遮断・復帰カウントダウン手段１６により弁復帰に要する予測時間が演算され、状態表示手段１７に弁復帰に要する予測時間が表示され、カウントダウン表示を行う。そして同時に弁復帰信号は無線送受信手段４を介し電波として放射され、流量計測装置７の無線送受信手段１２によって受信され、制御手段８を介し弁遮断／復帰手段１０によって遮断弁９が開放復帰処理される。
【００３９】
また、弁復帰に際し、設備機器である給湯機１の使用可能状態もあと何分で使用可能となるかも合わせてその予測時間を表示するので、ユーザーに利便性を与える効果がある。
【００４０】
また遮断処理においても前記説明と同様に処理され、状態表示手段１７に遮断処理に要する予測時間をカウントダウン表示する。
【００４１】
このように構成することによってユーザーが遮断弁９の遮断または復帰操作を行ったときにおいても、ユーザーは遮断弁の遮断または復帰にかかる時間、設備機器を使用可能とするまでにいらいらすることなくどのくらいの時間で復帰処理、使用可能となるかが一目で分かるようになり、また容易にかつ確実に遮断弁９の遮断又は復帰（開放）を確認することができるようになる。よってユーザーにおける利便性、及び使用感が良好になるという効果がある。
【００４２】
また上記のように遮断弁９の遮断及び復帰処理が行われている場合において、給湯機リモコン３は制御手段５の遮断・復帰処理判定手段２３において現在前記処理が行われているかどうかを判定し、前記処理が行われていると判定した場合はキー入力禁止手段２４によって、給湯機１の制御操作を行う給湯機操作手段１３や弁遮断操作手段１５、弁復帰操作手段１４などキー入力（制御信号入力）を無効にし前記制御を行わない。そして弁遮断または復帰処理が完了した場合は、遮断・復帰処理判定手段２３によりキー入力禁止手段２４をＯＦＦ（解除）し制御信号の入力を受け付けるようにする。
【００４３】
このように構成することによって無線給湯機リモコン３による遮断弁９の復帰処理が行われている途中において、給湯機１及び流量計測装置７（ガスメータ）の操作または給湯機１の操作を不能にし、復帰処理に割り込みが入ったり、各無線送受信手段から送信される制御信号の電波の衝突などが発生しなくなり、復帰処理が確実に行われるようになる。
【００４４】
また、管理センタ１８からユーザー宅の流量計測装置７（ガスメータ）の遮断弁９の復帰処理を行う場合において、管理センタ１８より送出された復帰処理信号は回線網１９を介してユーザー宅に設置された回線網アクセス手段２０に伝送され、そして無線送受信手段２１によって無線信号に変換され電波として放射される。そして給湯機リモコン３の無線送受信手段４により受信し、制御手段５に送られ、状態表示手段１７に管理センタ１８より遮断弁９の復帰要求がきたことを表示する。そして、給湯機１などの設備機器への停止信号を送出し、設備機器を停止した後、制御部５より弁遮断信号が送出され、無線送受信手段４を介して電波として放射し無線送受信手段１２で受信され流量計測装置７（ガスメータ）に伝送され制御手段８、弁遮断／復帰手段１０によって遮断弁９を復帰処理する。復帰後は、結果を管理センタ１８に返送するとともに結果を状態表示手段１７に結果を表示する。また遮断処理に関しても同様の手順によって行われる。
【００４５】
このように管理センタ１８からの遮断弁９の遮断及び復帰処理においてユーザーの確認を促す表示をしかつユーザーの確認操作が行われるまで前記処理を行わないようにすることで、ユーザーの意志に関係なく遮断弁９が遮断又は復帰されることを防ぎ、また給湯機１などのガス機器の使用中に遮断されたりすること防ぐことができる。なお、状態表示はリモコンとは別体の機器に表示しても良い。
【００４６】
また遮断弁９が遮断されており、ユーザーが手動において流量計測装置７（ガスメータ）側の手動弁復帰手段１１によって弁復帰を行う場合、ユーザーが流量計測装置７（ガスメータ）の手動弁復帰手段１１を操作すると、給湯機１などの設備機器への停止信号を送出し、設備機器を停止した後、遮断弁９が復帰処理される。そして復帰処理完了したことを示す信号を制御手段８より送出し、無線送受信手段１２で無線信号に変換し電波として放射する。そして給湯機リモコン３の無線送受信手段４により受信され、制御手段５を経て状態表示手段１７に弁復帰が確実に行われたことを表示しユーザーに知らせる。また制御手段５は復帰処理完了信号を無線送受信手段４に送信し、無線信号に変換し電波として放射する。そして無線送受信手段２１で受信され、回線網アクセス手段２０及び回線網１９を経由して管理センタ１８に、ユーザー宅の弁復帰完了を通報する。なお管理センタ１８に通報しないように構成することもできる。
【００４７】
このように手動弁復帰を行った場合においても、設備機器の停止をした後、給湯機リモコン３に復帰処理完了を知らせる信号を送信することで、給湯機リモコン３側で復帰が確実に行われたことを確認でき、ユーザーにおける利便性の向上が図れる。
【００４８】
また状態表示手段１７に遮断弁９の復帰処理の結果を表示するようにすることでユーザーが一目で遮断弁９の復帰を確認できるようになり、さらに利便性が向上する。また復帰処理が正しく行われたことが、ユーザーにも簡単に分かるようになるので安心してガスを使用することができるようになる。
【００４９】
またユーザーが手動において復帰処理した場合においても、管理センタ１８に復帰処理したことを通報するので、ユーザー宅の流量計測装置７（ガスメータ）の遮断弁復帰処理が確実に行われたことを管理センタ１８で確認できるようになる。よってエネルギー供給（ガス供給）の管理をより確実に管理できるようになる。またエネルギー供給サービス業者のサービス性も向上する。
【００５０】
また、また遮断弁９が遮断されており、ユーザーが弁復帰手段１４によって弁復帰を行う場合、給湯機１などの設備機器への停止信号を送出し、設備機器を停止した後、遮断弁９が復帰処理される。そして復帰処理完了したことを示す信号を制御手段８より送出し、無線送受信手段１２で無線信号に変換し電波として放射する。その後、給湯機１の安全使用（給湯機１の停止中のガスメータの流量を計測したり、商用電源の短絡を検出することなど）を遮断・復帰確認手段２２で確認する。したがって、遮断・復帰確認手段２２で設備機器の安全使用が確認されれば、エネルギー供給後の設備機器の異常による２次災害を防ぎ、安全性が向上する効果がある。
【００５１】
そして、遮断・復帰確認手段２２で確認した結果を制御手段５を経て状態表示手段１７に表示しユーザーに知らせてもよいし、回線網アクセス手段２０及び回線網１９を経由して管理センタ１８に通報してもよい。
【００５２】
また本実施例はエネルギー手段としてガスを利用し、エネルギー供給遮断手段を流量計測装置７（ガスメータ）に備えられたガス遮断弁９、設備機器をガス給湯機１、設備機器リモコンを前記ガス給湯機リモコン３で構成した。日常生活においてほぼ毎日使用するガス給湯機１で構成することで、ガスメータの遮断後、ガス給湯機１などのガス機器の使用再開時に安全性を確保できることと使い勝手も損なわないこと、ガス供給業者及び機器製造業者のサービス性の向上が図れるようになる。
【００５３】
なお、本実施例において弁復帰操作手段１４と弁遮断操作手段１５とは別々の手段として説明したが一つにの遮断操作手段にしてもよい。また、給湯機リモコン３とは別筐体としてもよい。給湯機リモコン以外は機器と無線送受信手段を別々に構成しているが、無線送受信手段は内蔵されていたり一体であっても構わない。また給湯機リモコン３は無線による流量計測装置７（ガスメータ）の遮断弁９の制御機能を有したが、その他の機器例えばガス漏れ警報器、火災センサ、水漏れ検知機、侵入センサ、漏電検知センサなどのセンサ機器を、無線を介して制御または状態表示するように構成することも可能であり、そのように構成するとユーザーの利便性が大きく向上するとともに宅内の安全性も向上することができる。また他の設備機器、複数の設備機器又は家電機器の制御や状態監視ができるようにも構成可能である。
【００５４】
また本実施例は設置性や施工性から無線を利用してシステムを構成しているが、どの通信経路も有線で構成することもでき同様の効果があると共に光通信でも構わない。また回線網１９を電話回線として説明したが、ＰＨＳ回線、専用回線、ＣＡＴＶ、インターネットなどを利用して回線アクセス手段２０と管理センタ１８に接続するように構成することもできる。また管理センタ１８はガス供給業者と説明したが他の業者（電気事業者など）でも構わない。また一つの業者ではなく複数であっても構わない。また本実施例はエネルギー媒体としてガスを利用したガス給湯機１の無線リモコンを用いて説明したが、エネルギー媒体としては電気、水道または石油など利用した機器（例えば暖房機器や洗濯機器、あるいは時計を備えた家電機器）であっても構わない。
【００５５】
【発明の効果】
以上説明したように本発明の設備機器リモコンシステムは、エネルギー供給遮断手段の遮断状態から供給状態に変える制御を実行する前には、機器が使用、不使用にかかわらず、機器を先ず停止し、エネルギー供給遮断手段の遮断制御を実行させるので、エネルギーの供給を行なう制御を行なう機器の安全性の向上を実現し、天災等の復帰後も火災などの２次災害を防ぐことが可能となる。
【図面の簡単な説明】
【図１】本発明のリモコンシステムの実施例におけるシステム構成図
【図２】従来のリモコンを利用したネットワークシステムのシステム構成図
【符号の説明】
１  給湯機（機器）
３  給湯機リモコン（リモコン）
６  給湯機動作停止手段
７  流量計測装置（ガスメータ）
９  遮断弁（エネルギー供給遮断手段）
１１  手動弁復帰手段（手動復帰手段）
１４  弁復帰操作手段（遮断操作手段）
１５  弁遮断操作手段（遮断操作手段）
１６  弁遮断・復帰時間カウントダウン手段
１７  状態表示手段
１８  管理センタ
１９  回線網
２０  回線網アクセス手段（アクセス手段）
２２  遮断・復帰確認手段（確認手段）
２４  キー入力禁止手段
【図１】
0003912141.tif 000002
【図２】
0003912141.tif 000003